(57)【要約】【課題】本考案は、使用者が簡単かつ素早くカバー体を被カバー体から取り外すことができるようになるカバー体のスピード取り外し補助器を提供することを目的とする。【解決手段】本考案によるカバー体のスピード取り外し補助器は、被カバー体を挿入する手挿入部と、カバー体内表面部に貼りあわされる接続部とからなる。カバー体のスピード取り外し補助器はカバー体に設けられ、それにより、カバー体の一部分と被カバー体は接触せず、カバー体と、カバー体のスピード取り外し補助器とを同時に手で持って引っ張ることで、カバー体は被カバー体から取り外される。【選択図】図１
0003170578.tif 000002
【実用新案登録請求の範囲】
【請求項１】
被カバー体を挿入する手挿入部と、カバー体内表面部に貼りあわされる接続部とからなるカバー体のスピード取り外し補助器であって、
カバー体のスピード取り外し補助器はカバー体に設けられ、それにより、カバー体の一部分と被カバー体は接触せず、カバー体と、カバー体のスピード取り外し補助器とを同時に手で持って引っ張ることで、カバー体は被カバー体から取り外されることを特徴とする、カバー体のスピード取り外し補助器。
【請求項２】
前記カバー体のスピード取り外し補助器は、弾性材料からなることを特徴とする請求項１に記載のカバー体のスピード取り外し補助器。
【請求項３】
前記カバー体のスピード取り外し補助器は、平べったい環状体であることを特徴とする請求項１に記載のカバー体のスピード取り外し補助器。
【請求項４】
前記接続部とカバー体内表面部の貼り合わせた箇所は、接着剤により結合、或いは、ホットメルト圧接で結合されることを特徴とする請求項１に記載のカバー体のスピード取り外し補助器。
【請求項５】
前記カバー体のスピード取り外し補助器の片側には、厚さがその他側より厚い強化部が設けられることを特徴とする請求項１に記載のカバー体のスピード取り外し補助器。
【請求項６】
前記カバー体のスピード取り外し補助器の片側には開口が設けられることを特徴とする請求項１に記載のカバー体のスピード取り外し補助器。
【請求項７】
前記カバー体のスピード取り外し補助器は円管状であることを特徴とする請求項１に記載のカバー体のスピード取り外し補助器。
【請求項８】
前記カバー体のスピード取り外し補助器の片側には突起縁が設けられ、前記接続部は所定の斜度を備え、環状体がカバー体外表面に設けられ、環状体は、接続部の斜度により、カバー体外表面に緊密に嵌め込まれ、環状体と突起縁は相互に当接して、カバー体の一部を挟みこむことを特徴とする請求項１に記載のカバー体のスピード取り外し補助器。
【請求項９】
前記手挿入部内には、少なくとも一つの可撓性体が設けられることを特徴とする請求項１に記載のカバー体のスピード取り外し補助器。
【請求項１０】
前記カバー体のスピード取り外し補助器には、少なくとも一つの係合孔が設けられ、少なくとも一つの可撓性体の一側には係合部が設けられ、可撓性体は、係合部によって係合孔に係合され、且つ手挿入部内に配置されることを特徴とする請求項９に記載のカバー体のスピード取り外し補助器。
【請求項１１】
前記接続部には複数のリブ棒部が設けられることを特徴とする請求項１に記載のカバー体のスピード取り外し補助器。
【請求項１２】
前記接続部は、粘着体により、カバー体内表面部に貼りあわされて固定されることを特徴とする請求項１に記載のカバー体のスピード取り外し補助器。
【請求項１３】
前記カバー体のスピード取り外し補助器の片側には環状縁部が設けられることを特徴とする請求項１に記載のカバー体のスピード取り外し補助器。
【請求項１４】
前記カバー体のスピード取り外し補助器の一側には、複数の突出部が設けられ、突出部は外にひらくラッパ開口形状を形成することを特徴とする請求項１に記載のカバー体のスピード取り外し補助器。
【考案の詳細な説明】
【技術分野】
【０００１】
本考案はカバー体のスピード取り外し補助器に関し、特にカバー体内に取り付けて被カバー体を通すことにより、使用者がカバー体を被カバー体から簡単且つ素早く取り外しせるようになるカバー体のスピード取り外し補助器に関する。
【背景技術】
【０００２】
従来のラテックス手袋は、少なくとも、以下の欠点がある。
１、使用者が手袋をはめて作業をする時、手袋の内表面はなめらかであり、皮膚と表面全体が接触して真空吸着作用が生じぴったりとくっつきすぎるため、使用者は手袋がきついという不快感を覚えることになる。また、作業時間が長くなると、汗がでた時、或いは、水に触れた時、手の汗や水が内から外に排出されにくいため、手袋内に堆積し、手袋が使用者の手の皮膚にくっつき、熱気が拡散されず、使用者の手が濡れたり熱くなったりべたべたして不快感が生じ、その作業時の感情と効率に影響する。また、手袋が手にくっついてしまうのは、手袋を取り外す時に不便である。くっついた手袋を脱ぐ場合は、ゆっくり引っ張らないとスムーズに手袋を取ることはできない。
２、ラテックス手袋は、通常、ワンサイズであり、手が大きい使用者にとっては、はめた時きつくなる。しかも、手に汗をかいたり、水にふれたりしたときは更にきつくなり、更に脱ぐのが難しくなるため、手袋をはめる時のようにスムーズには手袋をはずすことができない。従って、手袋を簡単且つ手早く使用者の手から外すかは、日常生活における大きな課題である。
【考案の概要】
【考案が解決しようとする課題】
【０００３】
本考案は、使用者が簡単かつ素早くカバー体を被カバー体から取り外すことができるようになるカバー体のスピード取り外し補助器を提供することを目的とする。
【課題を解決するための手段】
【０００４】
本考案によるカバー体のスピード取り外し補助器は、被カバー体を挿入する手挿入部と、カバー体内表面部に貼りあわされる接続部とからなる。カバー体のスピード取り外し補助器はカバー体に設けられ、それにより、カバー体の一部分と被カバー体は接触せず、カバー体と、カバー体のスピード取り外し補助器とを同時に手で持って引っ張ることで、カバー体は被カバー体から取り外される。
【図面の簡単な説明】
【０００５】
【図１】本考案の実施例１の斜視図である。
【図２】本考案と手袋を結合させた状態を示した斜視図である。
【図３】本考案の手を通す使用実施例を示した斜視図と拡大断面図である。
【図４】本考案を手に当接させた使用実施例を示した斜視図と拡大断面図である。
【図５】本考案の手袋を手から素早く外す使用実施例を示した斜視図（一）と拡大断面図である。図内には、手袋の両側に圧力をかけて本考案を変形させる様子も示している。
【図６】本考案の手袋を手から素早く外す使用実施例を示した斜視図（二）である。
【図７】手袋の一部を本考案に巻きこんだ状態を示した俯瞰図である。
【図８】手袋を本考案内から引っ張りだした、或いは振って出した状態を示した俯瞰図である。
【図９】本考案の実施例２を示した斜視図である。
【図１０】本考案の実施例２を使用した状態を示した断面図である。
【図１１】本考案の実施例３を示した斜視図である。
【図１２】本考案の実施例３を使用した状態を示した断面図である。
【図１３】本考案の実施例４を示した斜視図である。
【図１４】本考案の実施例５を示した斜視図である。
【図１５】本考案の実施例５と手袋を結合させた状態を示した断面図である。
【図１６】本考案の実施例６を示した斜視図である。
【図１７】本考案の実施例６と手袋と変形可能な可撓性体を結合させた状態を示した断面図である。
【図１８】本考案の実施例７を示した斜視図である。
【図１９】本考案の実施例７と手袋を結合させた後の使用状態を示した断面図である。
【考案を実施するための形態】
【０００６】
（実施例１）
図１に示すように、本明細書内では、本考案のカバー体のスピード取り外し補助器１０を従来の手袋２０に使用した実施例のみを挙げているが、本考案のカバー体のスピード取り外し補助器１０を、靴下、コンドーム等その他のカバー体に応用した関連実施例も、いずれも、本考案の実用新案登録請求の範囲内に含まれるものとする。
【０００７】
図における本考案のカバー体のスピード取り外し補助器１０は手袋２０内に設けられ、使用者が手袋２０を手から外しやすくする。本考案の好ましい実施例は弾性材料からなり、所定の弾性変形力を備え、カバー体のスピード取り外し補助器１０は本実施例において断面が楕円に近い形状（図４に図示）の平べったい環状体を形成する。カバー体のスピード取り外し補助器１０には、手挿入部１１と、接続部１２とを設け、その内、手挿入部１１は、少なくとも人の手を通すことができ、接続部１２は手袋２０の内表面部と貼りあわせる。
【０００８】
図２に示すように、本考案を使用する際は、本考案をまず手袋２０開口内に置く。本実施例の手袋２０はラテックス手袋であり、その開口は収縮弾性を備えており、しかも、カバー体のスピード取り外し補助器１０の外径は、手袋２０開口内径よりやや大きい。従って、使用者は、カバー体のスピード取り外し補助器１０と手袋２０の互いの弾力作用を利用して、カバー体のスピード取り外し補助器１０を簡単に手袋２０開口内に取り付けることができる。また、接続部１２と手袋２０開口の内表面部は貼りあわされて固定される。また、接続部１２と手袋２０開口の内表面部は、接着剤による結合、或いは、ホットメルト圧接、或いは、その他の関連結合技術を用いて結合され、それにより、カバー体のスピード取り外し補助器１０と手袋２０は強固に結合される。これらの結合方法はいずれも本考案の実用新案登録請求の範囲内に含まれるものとする。
【０００９】
図３に示すように、使用者は、手袋２０とカバー体のスピード取り外し補助器１０を貼り合わせた箇所の左右の両側を手で握って圧力を加えると、カバー体のスピード取り外し補助器１０の手挿入部１１は、弾性変形力作用によって円形の管状口を形成し、円形の管状口は人の拳より大きいため、握った状態の人の手を手挿入部１１に通した後、手袋２０内に嵌めることにより、手袋２０を手に簡単に嵌めることができる。
【００１０】
図４に示すように、使用者が、手袋２０とカバー体のスピード取り外し補助器１０の貼り合わせた箇所を手で握る圧力を開放すると、カバー体のスピード取り外し補助器１０は、弾力作用によって元々の平べったい環状体状に戻る。この時、カバー体のスピード取り外し補助器１０は人体の掌部と相互に当接し、カバー体のスピード取り外し補助器１０は人体の手首の箇所に位置決めされ、それにより、人体の掌部へとずれて作業の邪魔になることがなくなる。
【００１１】
図５と図６に示すように、使用者が手袋２０を外したい時は、再び、手袋２０とカバー体のスピード取り外し補助器１０を貼り合わせた箇所の左右両側を握って力を入れ、手挿入部１１に円形の管状口を形成させると、カバー体のスピード取り外し補助器１０によって手袋２０の一部分と手の外表面に隙間ができ、この時、手袋２０とカバー体のスピード取り外し補助器１０を手で同時に握って引っ張ると、簡単且つ素早く手袋２０を手から取り外すことができる。
【００１２】
図５においては、人の手を手挿入部１１に通す時に形成させる握りこぶし形状を示している。
【００１３】
図７と図８に示すように、使用者が本考案を手から外した後、手袋２０は材料の弾性収縮作用と取り外す動作によって、一部分はカバー体のスピード取り外し補助器１０内に巻かれる。しかしながら、直接手で手袋２０を引っ張り出すことができ、或いは、手袋２０とカバー体のスピード取り外し補助器１０の貼り合わせた箇所を手で握って、手を振ることで、手袋２０から直接振りだすことができる。
【００１４】
（実施例２）
図９、図１０に示すように、本考案のカバー体のスピード取り外し補助器１０の実施例２は、左右両側に、厚さが上下の両側より厚い強化部１３を設け、強度構造を強化するとともに、圧力を受けて変形した後の弾性回復力を向上させる。
【００１５】
（実施例３）
図１１と図１２に示すように、本考案のカバー体のスピード取り外し補助器１０の実施例３は、片側に開口１４を設ける。それにより、カバー体のスピード取り外し補助器１０は、前の実施例と同様に、左右両側が圧力を受けたら変形し、圧力が消えた後、弾力作用によって元の状態に回復する。
【００１６】
（実施例４）
図１３に示すように、本考案のカバー体のスピード取り外し補助器１０の実施例４は、非弾性材料からなり、カバー体のスピード取り外し補助器１０は円管状を形成し、その手挿入部１１の口径は、拳を握った人体の手を通過させることができ、使用者が使用する時、それを変形させるためにカバー体のスピード取り外し補助器１０に圧力を加える必要がない。
【００１７】
（実施例５）
図１４と図１５に示すように、本考案のカバー体のスピード取り外し補助器１０の実施例５は、非弾性材料からなり、その片側には突起縁１５が設けられ、接続部１２は所定の斜度を備え、それにより、カバー体のスピード取り外し補助器１０が手袋２０内に入れやすくなり、さらに所定の密着度を備える、また、環状体１６は、手袋２０の外表面に嵌め込む。環状体１６は、接続部１２の斜度により手袋２０の外表面にぴったりと嵌め込まれ、しかも、環状体１６は、突起縁１５と相互に当接し手袋２０の一部を挟みこむ。それにより、カバー体のスピード取り外し補助器１０と手袋２０を相互に安定して結合させることができる。
【００１８】
（実施例６）
図１６と図１７に示すように、本考案のカバー体のスピード取り外し補助器１０の実施例６においては、図１３の実施例４のカバー体のスピード取り外し補助器１０に複数の係合孔１７を設け、二つの可撓性体１８の片側には、断面が工形状の係合部１８１を設け、係合部１８１を係合孔１７に係合させることにより、二つの可撓性体１８を手挿入部１１内に配置させる。以上によって、可撓性体１８の変形作用により、手を自由に手挿入部１１に出し入れすることができ、しかも手挿入部１１と手の間の隙間をなくすことができる。
【００１９】
（実施例７）
図１８と図１９に示すように、本考案のカバー体のスピード取り外し補助器１０の実施例７は、接続部１２の上下側にそれぞれ二本のリブ棒部１９を設け、二つの貼り合わせる面にはいずれも粘着力をもつ二つの粘着体３０（例えば、両面テープ）を設け、粘着体３０の一方の貼り合わせる面をリブ棒部１９間の接続部１２に貼り合わせ、他方の貼り合わせる面を手袋２０開口の内表面部に貼り合わせることで、粘着体３０により、接続部１２と手袋２０開口の内表面部はぴったり貼りあわされ固定される。それにより、カバー体のスピード取り外し補助器１０と手袋２０の結合力も強化される。また、本考案のカバー体のスピード取り外し補助器１０の片側には、環状縁部１９１を設けることで、カバー体のスピード取り外し補助器１０と手袋２０の結合箇所の摩擦抵抗力を向上させるとともに、カバー体のスピード取り外し補助器１０と手袋２０の結合力を強化させることができる。また、本考案のカバー体のスピード取り外し補助器１０の片側の上下箇所には、二つの突出部１９２が設けられ、二つの突出部１９２は、相互に外にひらくラッパ開口形状を形成する。それにより、手袋２０の開口箇所も、外にひらくラッパ開口形状を形成し、それにより、更に、人の手を手挿入部１１に通して手袋２０内に嵌めやすくなる。もう一方で、突出部１９２により、手袋２０開口はラッパ開口形状になり、手袋２０開口縁辺のカバー体が、手をはめる時に、手と一緒に手挿入部１１内に巻きこまれるのを防止することもできる。
【符号の説明】
【００２０】
１０    カバー体のスピード取り外し補助器  
１１    手挿入部
１２    接続部                  
１３    強化部
１４    開口                      
１５    突起縁
１６    環状体                      
１７    係合孔
１８    可撓性体                  
１８１  係合部
１９    リブ棒部                      
１９１  環状縁部
１９２  突出部                
２０    手袋
３０    粘着体
【図１】
0003170578.tif 000003
【図２】
0003170578.tif 000004
【図３】
0003170578.tif 000005
【図４】
0003170578.tif 000006
【図５】
0003170578.tif 000007
【図６】
0003170578.tif 000008
【図７】
0003170578.tif 000009
【図８】
0003170578.tif 000010
【図９】
0003170578.tif 000011
【図１０】
0003170578.tif 000012
【図１１】
0003170578.tif 000013
【図１２】
0003170578.tif 000014
【図１３】
0003170578.tif 000015
【図１４】
0003170578.tif 000016
【図１５】
0003170578.tif 000017
【図１６】
0003170578.tif 000018
【図１７】
0003170578.tif 000019
【図１８】
0003170578.tif 000020
【図１９】
0003170578.tif 000021